(57)【要約】【課題】  従来の家庭用の冷蔵及び冷凍用のポリエチレン製のシート状の食品保存袋には、次にあげた構成上の問題点があった。油性ペンなどで食品保存袋に直接記入した場合、変更や誤記入で訂正すると塗り潰すため、汚れて記入不能になり、記入が必要な場合は、食品保存袋を廃棄してしまうという問題点があった。【解決手段】  ポリエチレン製の食品保存袋の本体５の中央部に、メモを差し入れ、取り出し可能にするポリエチレン製のメモ封入部１０を設けた。メモ封入部１０は、例えば右横側が開放され、メモ封入部右側の封入口９としている。【選択図】  図１
2020104872.tif 000002
【特許請求の範囲】
【請求項１】
内容を記録したメモを封入する封入部を設けたポリエチレン製のメモ入れ付き食品保存袋。
【請求項２】
封入部は、ポリエチレン製の透明のシート状である請求項１に記載のメモ入れ付き食品保存袋。
【請求項３】
封入部は、横の一部を開放にした請求項１または２に記載のメモ入れ付き食品保存袋。
【発明の詳細な説明】
【技術分野】
【０００１】
本発明はメモ入れ付き食品保存袋に関する。
【背景技術】
【０００２】
従来の家庭用の食品の保存手段として冷蔵庫や冷凍庫の機器類を利用して冷蔵及び冷凍することは一般的に広く採用されている。
食品を冷蔵や冷凍保存する際ポリエチレン製のシート状の食品保存袋を使用されていることも周知され実用に供されている。食品保存袋を使用する場合は、内容を共有する目的で食品保存袋の外側に、油性ペンなどで明細等を直接記入していた。メモを用意してセロハンテープで食品保存袋の外側に接着することや内容物が液体でない場合は封入する方法もあった。
【発明の概要】
【発明が解決しようとする課題】
【０００３】
従来の家庭用の冷蔵及び冷凍用のポリエチレン製のシート状の食品保存袋には、次にあげた構成上の問題点があった。
油性ペンなどで食品保存袋に直接記入した場合、変更や誤記入で訂正すると塗り潰すため、汚れて記入不能になり、記入が必要な場合は、食品保存袋を廃棄してしまうという問題点があった。
【０００４】
またメモを用意して、食品保存袋の外側にセロハンテープで接着すると、霜の解凍でメモが剥離して判別不能となり、食品を廃棄することもあった。
封入する場合も同様に霜の解凍でメモの内容が判別しにくくなり、食品は利用可能にも拘わらず廃棄するという問題があった。
【０００５】
以上の欠点や問題を解決する手段として本発明は、家庭用の食品保存袋の外側にメモを入れるための封入部を設けて、メモを利用することにより食品の有効な利用と食品保存袋の廃棄を少なくすることを目的として、封入部を設けた食品保存袋の活用の促進を提供するものである。
【課題を解決するための手段】
【０００６】
家庭用の冷蔵及び冷凍用のポリエチレン製のシート状の食品保存袋の外側の片面に、メモ入れとして、ポリエチレン製の透明のシート状の封入部を設ける。
【０００７】
封入部は形成寸法を例えば、内法（うちのり）が縦６センチメートル横１０センチメートルの寸法にして、食品保存袋の開封口を上にしたとき、食品保存袋の中央部に封入口を例えば右横側に一部開封して接着する。接着部分は内法に、例えば巾５ミリメートルを加えたものとする。
【発明の効果】
【０００８】
本発明の家庭用の冷蔵及び冷凍用のポリエチレン製の食品保存袋の外側の片面に、ポリエチレン製の透明のシート状のメモ入れのための封入部を設けることにより、メモに記入した食品等の消費期限や賞味期限を明確に共有可能であるため食品の有効な利用を促進する。
【０００９】
封入部は、食品保存袋の開封口を上にしたとき、封入口も上にすると異物など入りやすいが、例えば右横側に封入部の開封口を設けることにより、食品保存袋使用中のとき異物など入りにくく汚れも少なくなるので、メモに記入した内容を保持できる。
故に食品等の内訳を明確に維持して、廃棄を未然に防ぐことができる。また封入部は一部開放されているのでメモの入れ替えができる。そして使用後洗浄することにより再利用可能である。
食品保存袋が再利用可能であれば、昨今ゴミ処理のさまざまな問題が提起されているなか、僅かでもゴミの量の軽減に貢献できるものと考えます。
【図面の簡単な説明】
【００１０】
【図１】本発明の実施形態を示す、ポリエチレン製の食品保存袋の中央部にポリエチレン製の透明のシート状のメモ封入部の封入口を右横側にして設けた図。
【発明を実施するための形態】
【００１１】
以下、本発明の実施の形態を説明する。
図1はポリエチレン製の食品保存袋の本体５の中央部に、メモ封入部１０をポリエチレン製の透明のシート状のもので、メモ封入部右側の封入口９を一部開放して設けたものである。
【００１２】
食品保存袋の本体５の開封口は、食品保存袋の開封口１で食品保存袋の右側４と食品保存袋の左側２はそれぞれ接着されている。食品保存袋の底部３は折り返しになって接着されていない。
【００１３】
メモ封入部１０は、食品保存袋の本体５の中央部にポリエチレン製の透明のシート状のものを、メモ封入部１０の、内法が例えば縦６センチメートル横１０センチメートルの寸法にして設ける。
【００１４】
メモ封入部右側の封入口９は、メモを入れ替えるとき破損しやすいため、接着部分としてメモ封入部右側の封入口９を除いたメモ封入部の上部６とメモ封入部の左側７及びメモ封入部の底部８に、例えば巾５ミリメートルの接着部分を設ける。
【００１５】
以上本発明の実施の形態について説明したが、本発明はポリエチレン製の食品保存袋の本体５にポリエチレン製の透明のシート状のメモ封入部１０を設けることを目的としたものであるから、食品保存袋本体５の形状を限定するものではない。
【符号の説明】
【００１６】
１      食品保存袋の開封口
２      食品保存袋の左側
３      食品保存袋の底部
４      食品保存袋の右側
５      食品保存袋の本体
６      メモ封入部１０の上部
７      メモ封入部１０の左側
８      メモ封入部１０の底部
９      メモ封入部１０の右側の封入口
１０    メモ封入部
【図１】
2020104872.tif 000003
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
内容を記録したメモを、封入する封入部を設けたポリエチレン製のメモ入れ付き食品保存袋であって、前記食品保存袋における一方のシートの外表面の中央部には、封入部を形成する四角形の透明シートが設けられ、前記四角形の透明シートは、前記食品保存袋の開封口側の上部と、上部の反対側の底部と、残りの側部の片方とが前記食品保存袋の一方のシートに接着され、前記残りの側部のもう片方が前記封入部の封入口となり、前記四角形の透明シートの縁の全周が、前記食品保存袋の一方のシートの縁より内側に位置している、メモ入れ付き食品保存袋。
【手続補正書】
【提出日】令和1年8月5日(2019.8.5)
【手続補正１】
【補正対象書類名】特許請求の範囲
【補正対象項目名】請求項１
【補正方法】変更
【補正の内容】
【請求項１】
内容を記録したメモを、封入する封入部を設けたポリエチレン製のメモ入れ付きのジップ付きビニール袋であって、前記ジップ付きビニール袋における一方のシートの外表面の中央部には、封入部を形成する四角形の透明シートが設けられ、前記四角形の透明シートは、前記ジップ付きビニール袋の開封口側の上部と、上部の反対側の底部と、残りの側部の片方とが前記ジップ付きビニール袋の一方のシートに接着され、前記残りの側部のもう片方が前記封入部の封入口となり、前記四角形の透明シートの縁の全周が、前記ジップ付きビニール袋の一方のシートの縁より内側に位置している、メモ入れ付きのジップ付きビニール袋。
【手続補正２】
【補正対象書類名】明細書
【補正対象項目名】全文
【補正方法】変更
【補正の内容】
【発明の詳細な説明】
【技術分野】
【０００１】
本発明はメモ入れ付きのジップ付きビニール袋に関する。
【背景技術】
【０００２】
従来の家庭用の食品の保存手段として、冷蔵庫や冷凍庫の機器類を利用して
冷蔵及び冷凍することは一般的に広く採用されている。
食品を冷蔵や冷凍保存する際ポリエチレン製のシート状のジップ付きビニール袋を使用されていることも周知され実用に供されている。ジップ付きビニール袋を使用する場合は、内容を共有する目的でジップ付きビニール袋の外側に、
油性ペンなどで明細等を直接記入していた。メモを用意して、セロハンテープでジップ付きビニール袋の外側に接着することや、内容物が液体でない場合は封入する方法もあった。
【発明の概要】
【発明が解決しようとする課題】
【０００３】
従来の家庭用の冷蔵及び冷凍用のポリエチレン製のシート状のジップ付きビニール袋には、次にあげた構成上の問題点があった。
油性ペンなどでジップ付きビニール袋に直接記入した場合、変更や誤記入で
訂正すると塗潰すため汚れて記入不能になり、記入が必要な場合はジップ付き
ビニール袋を廃棄してしまうという欠点があった。
【０００４】
またメモを用意して、ジップ付きビニール袋の外側にセロハンテープで接着すると、霜の解凍でメモが剥離して判別不能となり、食品を廃棄することもあった。封入する場合も同様に霜の解凍でメモの内容が判別しにくくなり、食品は利用可能にも拘わらず廃棄するという問題があった。
【０００５】
以上の欠点や問題を解決する手段として本発明は、家庭用のジップ付きビニール袋の外側にメモを逐次入れ替え可能な封入部を設けて、メモを利用することにより食品の有効な利用とジップ付きビニール袋の廃棄を少なくすることを目的として、封入部を設けたジップ付きビニール袋の活用の促進を提供するものである。
【課題を解決するための手段】
【０００６】
家庭用の冷蔵及び冷凍用のポリエチレン製のシート状のジップ付きビニール袋の外側の片面に、適宜入れ替え可能なメモ入れとして、ポリエチレン製のシート状の封入部を設ける。
【０００７】
封入部は形成寸法を例えば内法（うちのり）が縦６センチメートル横１０センチメートルの寸法にして、ジップ付きビニール袋の開封口を上にしたとき、ジップ付きビニール袋の中央部に封入口を例えば右横側に一部開封して接着する。
接着部分は内法に例えば巾５ミリメートルを加えたものとする。
【０００８】
本発明の家庭用の冷蔵及び冷凍用のポリエチレン製のジップ付きビニール袋の外側の片面に、ポリエチレン製の透明のシート状の、メモ入れのための逐次入れ替え可能な封入部を設けることにより、メモに記入した食品等の消費期限や
賞味期限を明確に共有可能であるため食品の有効な利用を促進する。
【０００９】
封入部は、ジップ付きビニール袋の開封口を上にしたとき封入口も上にすると異物など入りやすいが、例えば右横側に封入部の開封口を設けることにより、
ジップ付きビニール袋使用中のとき異物など入りにくく汚れも少なくなるのでメモに記入した内容を保持できる。
故に食品等の内訳を明確に維持して、廃棄を未然に防ぐことができる。
また封入部は一部開放されているのでメモの入れ替えができる。そして使用後洗浄することにより再利用可能である。ジップ付きビニール袋が再利用可能であれば昨今ゴミ処理の様々な問題が提起されているなか、僅かでもゴミの量の削減に貢献できるものと考えます。
【図面の簡単な説明】
【００１０】
【図１】本発明の実施形態を示す、ポリエチレン製のジップ付きビニール袋の中央部にポリエチレン製の透明のシート状のメモ封入部の封入口を右横側にして設けた図。
【発明を実施するための形態】
【００１１】
以下本発明の実施の形態を説明する。
図１はポリエチレン製のジップ付きビニール袋の本体５の中央部に、メモ封入部１０をポリエチレン製の透明のシート状のもので、メモ封入部右側の封入口９を一部開放して設けたものである。
【００１２】
ジップ付きビニール袋の本体５の開封口は、ジップ付きビニール袋の開封口１でジップ付きビニール袋の右側４とジップ付きビニール袋の左側２はそれぞれ接着されている。ジップ付きビニール袋の底部３は折り返しになって接着されていない。
【００１３】
メモ封入部１０はジップ付きビニール袋の本体５の中央部にポリエチレン製の透明のシート状のものを、メモ封入部１０の、内法が例えば縦６センチメートル横１０センチメートルの寸法にして設ける。
【００１４】
メモ封入部右側の封入口９は、メモを入れ替えるとき破損しやすいため、接着部分としてメモ封入部右側の封入口９を除いたメモ封入部の上部６とメモ封入部の左側７及びメモ封入部の底部８に、例えば巾５ミリメートルの接着部分を設ける。
【００１５】
以上本発明の実施の形態について説明したが、本発明はポリエチレン製の
ジップ付きビニール袋の本体５にポリエチレン製の透明のシート状のメモ封入部１０を設けることを目的としたものであるから、ジップ付きビニール袋の本体５の形状を限定するものではない。
【符号の説明】
【００１６】
１    ジップ付きビニール袋の開封口
２    ジップ付きビニール袋の左側
３    ジップ付きビニール袋の底部
４    ジップ付きビニール袋の右側
５    ジップ付きビニール袋の本体
６    メモ封入部１０の上部
７    メモ封入部１０の左側
８    メモ封入部１０の底部
９    メモ封入部１０の右側の封入口
１０  メモ封入部
【手続補正書】
【提出日】令和1年8月7日(2019.8.7)
【手続補正１】
【補正対象書類名】特許請求の範囲
【補正対象項目名】請求項１
【補正方法】変更
【補正の内容】
【請求項１】
内容を記録したメモを、封入する封入部を設けたポリエチレン製のメモ入れ付きの食品保存袋であって、前記食品保存袋における一方のシートの外表面の中央部には、封入部を形成する四角形の透明シートが設けられ、前記四角形の透明シートは、前記食品保存袋の開封口側の上部と、上部の反対側の底部と、残りの側部の片方とが前記食品保存袋の一方のシートに接着され、前記残りの側部のもう片方が前記封入部の封入口となり、前記四角形の透明シートの縁の全周が、前記食品保存袋の一方のシートの縁より内側に位置している、メモ入れ付きの食品保存袋。
【手続補正書】
【提出日】令和1年8月13日(2019.8.13)
【手続補正１】
【補正対象書類名】特許請求の範囲
【補正対象項目名】請求項１
【補正方法】変更
【補正の内容】
【請求項１】
内容を記録したメモを、封入する封入部を設けたポリエチレン製のメモ入れ付きの食品
保存袋であって、前記食品保存袋における一方のシートの外表面の中央部には、封入部を
形成する四角形の透明シートが設けられ、前記四角形の透明シートは、前記食品保存袋の
開封口側の上部と、上部の反対側の底部と、残りの側部の片方とが前記食品保存袋の一方
のシートに接着され、前記残りの側部のもう片方が前記封入部の封入口となり、前記四角
形の透明シートの縁の全周が、前記食品保存袋の一方のシートの縁より内側に位置してい
る、メモ入れ付きの食品保存袋。
【手続補正２】
【補正対象書類名】明細書
【補正対象項目名】全文
【補正方法】変更
【補正の内容】
【発明の詳細な説明】
【技術分野】
【０００１】
本発明はメモ入れ付き食品保存袋に関する。
【背景技術】
【０００２】
従来の家庭用の食品の保存手段として冷蔵庫や冷凍庫の機器類を利用して冷蔵及び冷凍することは一般的に広く採用されている。
食品を冷蔵や冷凍保存する際ポリエチレン製のシート状の食品保存袋を使用されていることも周知され実用に供されている。食品保存袋を使用する場合は、内容を共有する目的で食品保存袋の外側に、油性ペンなどで明細等を直接記入していた。メモを用意してセロハンテープで食品保存袋の外側に接着することや内容物が液体でない場合は封入する方法もあった。
【発明の概要】
【発明が解決しようとする課題】
【０００３】
従来の家庭用の冷蔵及び冷凍用のポリエチレン製のシート状の食品保存袋には、次にあげた構成上の問題点があった。
油性ペンなどで食品保存袋に直接記入した場合、変更や誤記入で訂正すると塗り潰すため、汚れて記入不能になり、記入が必要な場合は、食品保存袋を廃棄してしまうという欠点があった。
【０００４】
またメモを用意して、食品保存袋の外側にセロハンテープで接着すると、霜の解凍でメモが剥離して判別不能となり、食品を廃棄することもあった。
封入する場合も同様に霜の解凍でメモの内容が判別しにくくなり、食品は利用可能にも拘わらず廃棄するという問題があった。
【０００５】
以上の欠点や問題を解決する手段として本発明は、家庭用の食品保存袋の外側に、メモを逐次入れ替え可能な封入部を設けて、メモを利用することにより食品の有効な利用と食品保存袋の廃棄を少なくすることを目的として、封入部を設けた食品保存袋の活用の促進を提供するものである。
【課題を解決するための手段】
【０００６】
家庭用の冷蔵及び冷凍用のポリエチレン製のシート状の食品保存袋の外側の片面に、適宜入れ替え可能なメモ入れとして、ポリエチレン製の透明のシート状の封入部を設ける。
【０００７】
封入部は形成寸法を例えば内法（うちのり）が、縦６センチメートル横１０センチメートルの寸法にして、食品保存袋の開封口を上にしたとき、食品保存袋の中央部に封入口を例えば右横側に一部開封して接着する。接着部分は内法に、例えば巾５ミリメートルを加えたものとする。    
【発明の効果】
【０００８】
本発明の家庭用の冷蔵及び冷凍用のポリエチレン製の食品保存袋の外側の片面に、ポリエチレン製の透明のシート状の、メモ入れのための逐次入れ替え可能な封入部を設けることにより、メモに記入した食品等の消費期限や賞味期限を明確に共有可能であるため食品の有効な利用を促進する。
【０００９】
封入部は、食品保存袋の開封口を上にしたとき、封入口も上にすると異物など入りやすいが、例えば右横側に封入部の開封口を設けることにより、食品保存袋使用中のとき異物など入りにくく汚れも少なくなるので、メモに記入した内容を保持できる。
故に食品等の内訳を明確に維持して、廃棄を未然に防ぐことができる。また封入部は一部開放されているのでメモの入れ替えができる。そして使用後洗浄することにより再利用可能である。
食品保存袋が再利用可能であれば、昨今ゴミ処理のさまざまな問題が提起されているなか、僅かでもゴミの量の軽減に貢献できるものと考えます。
【図面の簡単な説明】
【００１０】
【図１】本発明の実施形態を示す、ポリエチレン製の食品保存袋の中央部にポリエチレン製の透明のシート状のメモ封入部の封入口を右横側にして設けた図。
【発明を実施するための形態】
【００１１】
以下本発明の実施の形態を説明する。
図1はポリエチレン製の食品保存袋の本体５の中央部に、メモ封入部１０をポリエチレン製の透明のシート状のもので、メモ封入部右側の封入口９を一部開放して設けたものである。
【００１２】
食品保存袋の本体５の開封口は、食品保存袋の開封口１で食品保存袋の右側４と食品保存袋の左側２はそれぞれ接着されている。食品保存袋の底部３は折り返しになって接着されていない。
【００１３】
メモ封入部１０は、食品保存袋の本体５の中央部にポリエチレン製の透明のシート状のものを、メモ封入部１０の、内法が例えば縦６センチメートル横１０センチメートルの寸法にして設ける。
【００１４】
メモ封入部右側の封入口９は、メモを入れ替えるとき破損しやすいため、接着部分としてメモ封入部右側の封入口９を除いたメモ封入部の上部６とメモ封入部の左側７及びメモ封入部の底部８に、例えば巾５ミリメートルの接着部分を設ける。
【００１５】
以上本発明の実施の形態について説明したが、本発明はポリエチレン製の食品保存袋の本体５にポリエチレン製の透明のシート状のメモ封入部１０を設けることを目的としたものであるから、食品保存袋本体５の形状を限定するものではない。
【符号の説明】
【００１６】
１      食品保存袋の開封口
２      食品保存袋の左側
３      食品保存袋の底部
４      食品保存袋の右側
５      食品保存袋の本体
６      メモ封入部１０の上部
７      メモ封入部１０の左側
８      メモ封入部１０の底部
９      メモ封入部１０の右側の封入口
１０    メモ封入部